(57)【要約】【課題】  従来のフェーズドアレーアンテナ装置では、放射パターン生成ウェイトを変えるたびに、オン・オフを変える送受信モジュールの数だけ、制御データを送る必要があり、制御データ転送時間が長くかかってしまう、つまり、放射パターン生成ウェイトを変える時間が長くなってしまうという課題があった。【解決手段】  送受信モジュールに複数ビットの増幅器制御信号を保持する増幅器用マルチビットレジスタと、１ビットの増幅器制御信号を指示するビット指示信号を保持する増幅器用ビット指示レジスタと、ビット指示信号にしたがって１ビットの増幅器制御信号を選択する増幅器用ビット選択回路を備えた。【選択図】      図１
2006135413.tif 000002
【特許請求の範囲】
【請求項１】
アンテナ開口から送受信する電磁波の位相変化および振幅増幅を行い、複数配列されてフェーズドアレーアンテナを構成する送受信モジュールにおいて、
外部から送受切換信号を受けて、送信動作もしくは受信動作を制御する送受切換信号入力回路と、
送信増幅器および受信増幅器の増幅動作を制御する増幅器制御信号を、複数ビット分保持する増幅器用マルチビットレジスタと、
外部から他の送受信モジュールと共通のビット指示信号を受信し、受信したビット指示信号を保持する増幅器用ビット指示レジスタと、
上記増幅器用ビット指示レジスタに保持されたビット指示信号にしたがって、上記増幅器用マルチビットレジスタに保持された複数ビットの増幅器制御信号の中から、特定ビットの増幅器制御信号を選択する増幅器用ビット選択回路と、
上記送受切換信号入力回路による送信動作および受信動作の切り替えに同期して送信信号を上記送信増幅器へ出力するかどうかを制御するとともに、上記増幅器用ビット選択回路が選択した増幅器制御信号に基づいて上記送信増幅器の増幅動作を制御する送信信号アンド回路と、
上記送受切換信号入力回路による送信動作および受信動作の切り替えに同期して受信信号を上記受信増幅器へ出力するかどうかを制御するとともに、上記増幅器用ビット選択回路が選択した増幅器制御信号に基づいて上記受信増幅器の増幅動作を制御する受信信号アンド回路と、
を備えたことを特徴とする送受信モジュール。
【請求項２】
アンテナ開口から送受信する電磁波の位相変化および振幅増幅を行い、複数配列されてフェーズドアレーアンテナを構成する送受信モジュールにおいて、
外部から送受切換信号を受けて、送信動作もしくは受信動作を制御する送受切換信号入力回路と、
送信電磁波を増幅する送信増幅器を動作させるかどうかを制御する送信増幅器制御信号を、複数ビット分保持する送信増幅器用マルチビットレジスタと、
受信電磁波を増幅する受信増幅器を動作させるかどうかを制御する受信増幅器制御信号を、複数ビット分保持する受信増幅器用マルチビットレジスタと、
外部から他の送受信モジュールと共通の送信ビット指示信号を受信し、受信した送信ビット指示信号を保持する送信増幅器用ビット指示レジスタと、
上記送信増幅器用ビット指示レジスタに保持された送信ビット指示信号にしたがって、上記送信増幅器用マルチビットレジスタに保持された複数ビットの送信増幅器制御信号の中から、送信増幅器制御信号を選択する送信増幅器用ビット選択回路と、
外部から他の送受信モジュールと共通の受信ビット指示信号を受信し、受信した受信ビット指示信号を保持する受信増幅器用ビット指示レジスタと、
上記受信増幅器用ビット指示レジスタに保持された受信ビット指示信号にしたがって、上記受信増幅器用マルチビットレジスタに保持された複数ビットの受信増幅器制御信号の中から、受信増幅器制御信号を選択する受信増幅器用ビット選択回路と、
上記送受切換信号入力回路による送信動作および受信動作の切り替えに同期して上記送受切換信号入力回路の送信信号を上記送信増幅器へ出力するかどうかを制御するとともに、上記送信増幅器用ビット選択回路が選択した送信増幅器制御信号に基づいて上記送信増幅器の増幅動作を制御する送信信号アンド回路と、
上記送受切換信号入力回路による送信動作および受信動作の切り替えに同期して上記送受切換信号入力回路の受信信号を上記受信増幅器へ出力するかどうかを制御するとともに、上記受信増幅器用ビット選択回路が選択した受信増幅器制御信号に基づいて上記受信増幅器の増幅動作を制御する上記受信信号アンド回路と、
を備えたことを特徴とする送受信モジュール。
【請求項３】
請求項１または請求項２の記載の送受信モジュールの複数に共通に接続され、同じ座標に配置された複数のアンテナ開口を有し、
上記複数のアンテナ開口が制御されるデータラインと、
上記Ｘデータラインと上記Ｙデータラインのデータの同期をとるクロックを上記送受信モジュールに供給するクロックラインと、
上記送受信モジュールの送信と受信を切り換える送受切換信号を上記送受信モジュールに供給する送受切換信号ラインと、
を備えたことを特徴とするフェーズドアレーアンテナ装置。
【請求項４】
上記データラインが、
ＸデータラインとＹデータラインとで制御されることを特徴とする請求項３記載のフェーズドアレーアンテナ装置。
【請求項５】
上記送受信モジュールが、送信用のみ、あるいは受信用のみとして使用されることを特徴とする請求項３または請求項４記載のフェーズドアレーアンテナ装置。
【発明の詳細な説明】
【技術分野】
【０００１】
送受信モジュール及びそれを用いたフェーズドアレーアンテナ装置に関するものである。
【背景技術】
【０００２】
従来のフェーズドアレーアンテナ装置に用いられている送受信モジュールにおいては、増幅器レジスタの出力と増幅器補助レジスタの出力を増幅器アンド回路に接続する構成にしているものは既に開示されている（例えば、特許文献１参照。）。
【０００３】
【特許文献１】特開平８−１６２８３５号公報（第１図、第２図）
【発明の開示】
【発明が解決しようとする課題】
【０００４】
従来の送受信モジュールを用いたフェーズドアレーアンテナ装置では、各送受信モジュールの送信増幅器と受信増幅器のオン・オフを切り換えて、フェーズドアレーアンテナ装置の放射パターン生成ウェイトを変える場合に、放射パターン生成ウェイトを変えるたびに、送信増幅器と受信増幅器のオン・オフを切り換える送受信モジュールの数だけ、制御データを送る必要があり、制御データ転送時間が長くかかってしまう、つまり、放射パターン生成ウェイトを変える時間が長くなってしまうという課題があった。
【０００５】
この発明は、かかる問題点を解決するためになされたもので、各送受信モジュールの送信増幅器と受信増幅器のオン・オフを切り換えて、フェーズドアレーアンテナ装置の放射パターン生成ウェイトを変える場合に、初期設定以後は、同一の制御データをすべての送受信モジュールに同時に１回送れば、放射パターン生成ウェイトを変えることができる送受信モジュールとそれを用いたフェーズドアレーアンテナ装置を得ることを目的としている。
【課題を解決するための手段】
【０００６】
第１の発明の送受信モジュールは、アンテナ開口から送受信する電磁波の位相変化および振幅増幅を行い、複数配列されてフェーズドアレーアンテナを構成する送受信モジュールにおいて、
外部から送受切換信号を受けて、送信動作もしくは受信動作を制御する送受切換信号入力回路と、送信増幅器および受信増幅器の増幅動作を制御する増幅器制御信号を、複数ビット分保持する増幅器用マルチビットレジスタと、外部から他の送受信モジュールと共通のビット指示信号を受信し、受信したビット指示信号を保持する増幅器用ビット指示レジスタと、上記増幅器用ビット指示レジスタに保持されたビット指示信号にしたがって、上記増幅器用マルチビットレジスタに保持された複数ビットの増幅器制御信号の中から、特定ビットの増幅器制御信号を選択する増幅器用ビット選択回路と、上記送受切換信号入力回路による送信動作および受信動作の切り替えに同期して送信信号を上記送信増幅器へ出力するかどうかを制御するとともに、上記増幅器用ビット選択回路が選択した増幅器制御信号に基づいて上記送信増幅器の増幅動作を制御する送信信号アンド回路と、上記送受切換信号入力回路による送信動作および受信動作の切り替えに同期して受信信号を上記受信増幅器へ出力するかどうかを制御するとともに、上記増幅器用ビット選択回路が選択した増幅器制御信号に基づいて上記受信増幅器の増幅動作を制御する受信信号アンド回路と、を備えたものである。
【０００７】
第２の発明の送受信モジュールは、アンテナ開口から送受信する電磁波の位相変化および振幅増幅を行い、複数配列されてフェーズドアレーアンテナを構成する送受信モジュールにおいて、
外部から送受切換信号を受けて、送信動作もしくは受信動作を制御する送受切換信号入力回路と、送信電磁波を増幅する送信増幅器を動作させるかどうかを制御する送信増幅器制御信号を、複数ビット分保持する送信増幅器用マルチビットレジスタと、受信電磁波を増幅する受信増幅器を動作させるかどうかを制御する受信増幅器制御信号を、複数ビット分保持する受信増幅器用マルチビットレジスタと、外部から他の送受信モジュールと共通の送信ビット指示信号を受信し、受信した送信ビット指示信号を保持する送信増幅器用ビット指示レジスタと、上記送信増幅器用ビット指示レジスタに保持された送信ビット指示信号にしたがって、上記送信増幅器用マルチビットレジスタに保持された複数ビットの送信増幅器制御信号の中から、送信増幅器制御信号を選択する送信増幅器用ビット選択回路と、外部から他の送受信モジュールと共通の受信ビット指示信号を受信し、受信した受信ビット指示信号を保持する受信増幅器用ビット指示レジスタと、上記受信増幅器用ビット指示レジスタに保持された受信ビット指示信号にしたがって、上記受信増幅器用マルチビットレジスタに保持された複数ビットの受信増幅器制御信号の中から、受信増幅器制御信号を選択する受信増幅器用ビット選択回路と、上記送受切換信号入力回路による送信動作および受信動作の切り替えに同期して上記送受切換信号入力回路の送信信号を上記送信増幅器へ出力するかどうかを制御するとともに、上記送信増幅器用ビット選択回路が選択した送信増幅器制御信号に基づいて上記送信増幅器の増幅動作を制御する送信信号アンド回路と、上記送受切換信号入力回路による送信動作および受信動作の切り替えに同期して上記送受切換信号入力回路の受信信号を上記受信増幅器へ出力するかどうかを制御するとともに、上記受信増幅器用ビット選択回路が選択した受信増幅器制御信号に基づいて上記受信増幅器の増幅動作を制御する受信信号アンド回路と、を備えたものである。
【０００８】
また、この発明のフェーズドアレーアンテナ装置は、送受信モジュールの複数に共通に接続され、同じ座標に配置さた複数のアンテナ開口を有し、上記複数のアンテナ開口が制御されるデータラインと、上記Ｘデータラインと上記Ｙデータラインのデータの同期をとるクロックを上記送受信モジュールに供給するクロックラインと、上記送受信モジュールの送信と受信を切り換える送受切換信号を上記送受信モジュールに供給する送受切換信号ラインとを備えたものであっても良い。
【発明の効果】
【０００９】
各送受信モジュールの送信増幅器と受信増幅器のオン・オフを切り換えて、フェーズドアレーアンテナ装置の放射パターン生成ウェイトを変える場合に、初期設定以後は、同一の制御データをすべての送受信モジュールに同時に１回送れば、放射パターン生成ウェイトを変えられるという効果がある。
【発明を実施するための最良の形態】
【００１０】
実施の形態１．
図１はこの発明の実施の形態１における送受信モジュールの構成図であり、１は送受信モジュール、２はＸデータ入出力回路、３はＹデータ入出力回路、４はクロック入力回路、５はデータ処理回路、６は増幅器用マルチビットレジスタ、７は増幅器用ビット指示レジスタ、８は増幅器用ビット選択回路、９は送受切換信号入力回路、１０は送信信号アンド回路、１１は受信信号アンド回路、１２は反転回路、１３は移相器制御レジスタ、１４は移相器、１５は送受切換スイッチ、１６は送信増幅器、１７は受信増幅器である。
【００１１】
実施の形態１における送受信モジュール１は、フェーズドアレーアンテナ装置と、そのフェーズドアレーアンテナ装置の個々のアンテナ開口から送受信する電磁波の位相変化および振幅増幅を行うものである。
【００１２】
図１において、電磁波の位相変化および振幅増幅を行う送受信モジュール１は、外部よりＸデータ入出力回路２を介して入力されるＸデータと、同様に外部からＹデータ入出力回路３を介して入力されるＹデータにしたがって制御される。
【００１３】
Ｘデータ入出力回路２からのＸデータとＹデータ入出力回路３からのＹデータが制御データであり、ＸデータとＹデータは、クロック入力回路４を介して外部から入力されるクロックに同期しながら入力される。
【００１４】
また、制御内容によっては、送受信モジュール１は、Ｘデータ入出力回路２を介してＸデータを外部へ、Ｙデータ入出力回路３を介してＹデータを外部へ上記クロック入力回路４を介して外部から入力されるクロックに同期して出力する。
データ処理回路５は、ＸデータとＹデータからなる制御データにしたがって処理を行う。
【００１５】
このデータ処理回路５の処理結果の一つとして複数ビットの増幅器制御信号が増幅器用マルチビットレジスタ６に保持され、同様にデータ処理回路５の処理結果の一つとして増幅器用マルチビットレジスタ６に保持された複数ビットの増幅器制御信号の中から増幅器制御信号を指示するビット指示信号が増幅器用ビット指示レジスタ７に保持される。
【００１６】
そして、増幅器用ビット選択回路８は、増幅器用ビット指示レジスタ７に保持されたビット指示信号にしたがって増幅器用マルチビットレジスタ６に保持された複数ビットの増幅器制御信号の中から１ビットの増幅器制御信号を選択する。
送受切換信号入力回路９は、送受信モジュール１の送信と受信を切り換える送受切換信号を外部より入力する。
【００１７】
送信信号アンド回路１０は、増幅器用ビット選択回路８が選択した１ビットの増幅器制御信号と送受切換信号入力回路９が入力した送受切換信号の送信信号の論理積をとり、受信信号アンド回路１１は、増幅器用ビット選択回路８が選択した１ビットの増幅器制御信号と送受切換信号入力回路９が入力した送受切換信号の受信信号の論理積をとる。
反転回路１２は、送受切換信号入力回路９が入力した送受切換信号を反転回路１２で反転して送受切換信号の受信信号の有意レベルを反転して受信信号アンド回路１１へ出力する。
【００１８】
移相器制御レジスタ１３は、データ処理回路５の処理結果の一つとして移相器制御信号を保持し、移相器１４は、移相器制御レジスタ１３が保持する移相器制御信号にしたがって電磁波の位相を変化させ、送受切換スイッチ１５は、送受切換信号入力回路９の入力する送受切換信号にしたがって電磁波の送信と受信を切り換える。
【００１９】
送信増幅器１６は、送信信号アンド回路１０が出力する送信信号にしたがって送信電磁波を増幅し、受信増幅器１７は、受信信号アンド回路１１が出力する受信信号にしたがって受信電磁波を増幅する。
【００２０】
図２はこの発明の実施の形態１における送受信モジュール１ａ〜１ｆを用いたフェーズドアレーアンテナ装置の構成図であり、１８はアンテナ開口、１９はＸデータライン、２０はＹデータライン、２１はクロックライン、２２は送受切換信号ラインである。
図２において、送受信モジュール１ａ〜１ｆの全てに共通する移相器１４への入力信号は省略している。
【００２１】
アンテナ開口１８ａ〜１８ｆは、電磁波を空中へ送信し、または、空中から電磁波を受信する。
Ｘデータライン１９ａ、１９ｂは、同じＸ座標に配置されたアンテナ開口１８ａ〜１８ｆに対応する送受信モジュール１ａ〜１ｆに共通に接続され、送受信モジュール１ａ〜１ｆを制御するためのＸデータを送受信モジュール１ａ〜１ｆとの間で入出力する。
【００２２】
Ｙデータライン２０ａ〜２０ｃは、同じＹ座標に配置されたアンテナ開口１８ａ〜１８ｆに対応する送受信モジュール１ａ〜１ｆに共通に接続され、送受信モジュール１ａ〜１ｆを制御するためのＹデータを送受信モジュール１ａ〜１ｆとの間で入出力する。
【００２３】
クロックライン２１は、送受信モジュール１ａ〜１ｆが入出力するＸデータとＹデータの同期をとるクロックを送受信モジュール１ａ〜１ｆに供給する。
送受切換信号ライン２２は、送受信モジュール１ａ〜１ｆの送信と受信を切り換える送受切換信号を送受信モジュール１ａ〜１ｆに供給する。
【００２４】
図３は、増幅器制御信号と増幅器用ビット指示レジスタ７に保持されたビット指示信号との対応の一例を示す説明図である。
【００２５】
この発明の実施の形態１における各送受信モジュール１ａ〜１ｆの増幅器用マルチビットレジスタ６に保持された複数ビットの増幅器制御信号と増幅器用ビット指示レジスタ７に保持されたビット指示信号との対応の一例を示す説明図である。
【００２６】
増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（００〜１１）に対応する１ビットの増幅器制御信号を選択する。
【００２７】
上記のように構成された送受信モジュール１ａ〜１ｆおよびフェーズドアレーアンテナ装置の動作について説明する。
この発明の送受信モジュール１ａ〜１ｆを用いたフェーズドアレーアンテナ装置は、クロックライン２１から供給されるクロックに同期してＸデータライン１９ａ、１９ｂからの制御データであるＸデータとＹデータライン２０ａ〜２０ｃからの制御データであるＹデータを送受信モジュール１ａ〜１ｆに供給する。
【００２８】
送受信モジュール１ａ〜１ｆは、クロック入力回路４からのクロックに同期してＸデータ入出力回路２を介して入力したＸデータと、同様にクロック入力回路４からのクロックに同期してＹデータ入出力回路３を介して入力したＹデータにしたがって、データ処理回路５で処理を行い、その処理結果の一つのとして移相器制御レジスタ１３へ移相器制御信号を出力する。
【００２９】
移相器制御レジスタ１３は、データ処理回路５から出力された移相器制御信号を保持するとともにこの移相器制御信号を移相器１４へ出力する。
移相器１４は、アンテナ開口１８ａ〜１８ｆから送信する電磁波またはアンテナ開口１８ａ〜１８ｆで受信する電磁波の位相を移相器制御レジスタ１３の保持する移相器制御信号にしたがって変化させる。
【００３０】
そして、所望のビーム方向に対する各アンテナ開口１８ａ〜１８ｆでの電磁波の位相変化を移相器１４で行うことにより、フェーズドアレーアンテナ装置は、所望の方向にビームを向けることができる。
【００３１】
送信と受信の切り換えは、送受切換信号ライン２２より供給される送受切換信号を送受信モジュール１ａ〜１ｆが送受切換信号入力回路９を介して入力し、２個の送受切換スイッチ１５へ出力する。
ここで説明の都合上、送受切換信号入力回路９が出力する時点での送受切換信号の送信信号をハイレベルとし送受切換信号の受信信号をローレベルとする。
【００３２】
そして、送受切換信号が送信信号の時には、２個の送受切換スイッチ１５は両方とも、送信側に切り換わり、移相器１４で移相器制御レジスタ１３の保持する移相器制御信号にしたがって位相を変化させられた送信の電磁波が送信増幅器１６で増幅されてアンテナ開口１８ａ〜１８ｆから送信される。
【００３３】
送受切換信号が受信信号の時には、２個の送受切換スイッチ１５は両方とも、受信側に切り換わり、アンテナ開口１８ａ〜１８ｆで受信された受信の電磁波が受信増幅器１７で増幅され移相器１４で移相器制御レジスタ１３の保持する移相器制御信号にしたがって位相を変化させられる。
【００３４】
この時、送信増幅器１６と受信増幅器１７が増幅の動作を行うかどうかを外部より制御できるようにするために、増幅器用ビット選択回路８は、増幅器用マルチビットレジスタ６に保持された複数ビットの増幅器制御信号の各ビットから増幅器用ビット指示レジスタ７に保持されたビット指示信号に対応する１ビットの増幅器制御信号を選択し送信信号アンド回路１０と受信信号アンド回路１１へ出力する。
【００３５】
選択された１ビットの増幅器制御信号がハイレベルの時、送信信号アンド回路１０は、送受切換信号入力回路９からの送受切換信号の送信信号を送信増幅器１６へ出力し、受信信号アンド回路１１は、送受切換信号入力回路９からの送受切換信号の反転回路１２でローレベルからハイレベルに変換された受信信号を受信増幅器１７へ出力する。
【００３６】
送信増幅器１６では、送信信号アンド回路１０から送信信号が供給されている間だけ増幅の動作を行い、受信増幅器１７では、受信信号アンド回路１１から受信信号が供給されている間だけ増幅の動作を行う。
【００３７】
そして、増幅器用ビット選択回路８により選択された１ビットの増幅器制御信号がローレベルの場合には、送受切換信号にしたがって送受切換スイッチ１５は送信側、受信側に交互に切り換っても、送信信号アンド回路１０は、送受切換信号の送信信号を送信増幅器１６には出力しない。
【００３８】
同様に、受信信号アンド回路１１も送受切換信号の反転回路１２でローレベルからハイレベルに変換された受信信号を受信増幅器１７へは出力しない。
よって、増幅器用ビット選択回路８により選択された１ビットの増幅器制御信号がローレベルの場合には、送信増幅器１６と受信増幅器１７は増幅の動作を行わない。
つまり、送受信モジュール１ａ〜１ｆが動作しないのと同等である。
【００３９】
この発明のフェーズドアレーアンテナ装置では、初期設定において、各送受信モジュール１ａ〜１ｆの増幅器用マルチビットレジスタ６に、例えば、図３のような複数ビットの増幅器制御信号を各送受信モジュール１ａ〜１ｆごとにＸデータライン１９ａ、１９ｂからのＸデータとＹデータライン２０ａ〜２０ｃからのＹデータの制御データにより外部より転送し設定する。
【００４０】
つまり、初期設定においては、複数ビットの増幅器制御信号をすべての送受信モジュール１ａ〜１ｆに設定するために、送受信モジュール１ａ〜１ｆの数だけの制御データの転送が必要になる。
【００４１】
そして、初期設定後において、すべての送受信モジュール１ａ〜１ｆを動作させる場合、Ｘデータライン１９ａ、１９ｂからのＸデータとＹデータライン２０ａ〜２０ｃからのＹデータの制御データを外部より同時に１回すべての送受信モジュール１ａ〜１ｆに転送し、本例では、ビット指示信号（００）をすべての送受信モジュール１ａ〜１ｆの増幅器用ビット指示レジスタ７に設定する。
【００４２】
ビット指示信号がすべての送受信モジュール１ａ〜１ｆに対して同じであるため、同じ制御データを同時に１回すべての送受信モジュール１ａ〜１ｆに転送すれば良い。
各送受信モジュール１ａ〜１ｆでは、増幅器用ビット指示レジスタ７にビット指示信号（００）が保持されるため、増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（００）に対応する（ビット０）の１ビットの増幅器制御信号（１＝ハイレベル）を選択し送信信号アンド回路１０と受信信号アンド回路１１へ出力する。
【００４３】
よって、送信増幅器１６は送受切換信号の送信信号に同期して動作し、受信増幅器１７は送受切換信号の受信信号に同期して動作するので、すべての送受信モジュール１ａ〜１ｆは動作する。
また、すべての送受信モジュール１ａ〜１ｆの動作を止めたい場合には、Ｘデータライン１９ａ、１９ｂからのＸデータとＹデータライン２０ａ〜２０ｃからのＹデータの制御データを外部より同時に１回すべての送受信モジュール１ａ〜１ｆに転送し、本例では、ビット指示信号（１１）をすべての送受信モジュール１ａ〜１ｆの増幅器用ビット指示レジスタ７に設定する。
【００４４】
各送受信モジュール１ａ〜１ｆでは、増幅器用ビット指示レジスタ７にビット指示信号（１１）が保持されるため、増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（１１）に対応する（ビット３）の１ビットの増幅器制御信号（０＝ローレベル）を選択し送信信号アンド回路１０と受信信号アンド回路１１へ出力する。
よって、すべての送受信モジュール１ａ〜１ｆの動作を止めることができる。
【００４５】
また、各送受信モジュール１ａ〜１ｆの送信増幅器１６と受信増幅器１７のオン・オフ（オン＝動作、オフ＝非動作）を切り換えて、フェーズドアレーアンテナ装置の放射パターン生成ウェイトを変える場合、本例では、送受信モジュール１ａ、１ｂ、１ｅ、１ｆの４個をオンにし、送受信モジュール１ｃ、１ｄの２個をオフにしてフェーズドアレーアンテナ装置の放射パターン生成ウェイトを変える場合には、Ｘデータライン１９ａ、１９ｂからのＸデータとＹデータライン２０ａ〜２０ｃからのＹデータの制御データを外部より同時に１回すべての送受信モジュール１ａ〜１ｆに転送し、ビット指示信号（０１）をすべての送受信モジュール１ａ〜１ｆの増幅器用ビット指示レジスタ７に設定する。
【００４６】
各送受信モジュール１ａ〜１ｆでは、増幅器用ビット指示レジスタ７にビット指示信号（０１）が保持されるため、増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（０１）に対応する（ビット１）の１ビットの増幅器制御信号を選択し送信信号アンド回路１０と受信信号アンド回路１１へ出力する。
【００４７】
ここで、送受信モジュール１ａ、１ｂ、１ｅ、１ｆの増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（０１）に対応する（ビット１）の１ビットの増幅器制御信号（１＝ハイレベル）を選択し送信信号アンド回路１０と受信信号アンド回路１１へ出力するので送受信モジュール１ａ、１ｂ、１ｅ、１ｆの送信増幅器１６と受信増幅器１７はオンになる。
【００４８】
しかし、送受信モジュール１ｃ、１ｄの増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（０１）に対応する（ビット１）の１ビットの増幅器制御信号（０＝ローレベル）を選択し送信信号アンド回路１０と受信信号アンド回路１１へ出力するので送受信モジュール１ｃ、１ｄの送信増幅器１６と受信増幅器１７はオフになる。
つまり、同一の制御データをすべての送受信モジュール１ａ〜１ｆに同時に１回送れば、フェーズドアレーアンテナ装置の放射パターン生成ウェイトを変えることができる。
【００４９】
さらに、本例において、送受信モジュール１ａ、１ｃ、１ｅの３個をオンにし、送受信モジュール１ｂ、１ｄ、１ｆの３個をオフにしてフェーズドアレーアンテナ装置の放射パターン生成ウェイトを変える場合には、Ｘデータライン１９ａ、１９ｂからのＸデータとＹデータライン２０ａ〜２０ｃからのＹデータの制御データを外部より同時に１回すべての送受信モジュール１ａ〜１ｆに転送し、ビット指示信号（１０）をすべての送受信モジュール１ａ〜１ｆの増幅器用ビット指示レジスタ７に設定する。
【００５０】
各送受信モジュール１ａ〜１ｆでは、増幅器用ビット指示レジスタ７にビット指示信号（１０）が保持されるため、増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（１０）に対応する（ビット２）の１ビットの増幅器制御信号を選択し送信信号アンド回路１０と受信信号アンド回路１１へ出力する。
【００５１】
ここで、送受信モジュール１ａ、１ｃ、１ｅの増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（１０）に対応する（ビット２）の１ビットの増幅器制御信号（１＝ハイレベル）を選択し送信信号アンド回路１０と受信信号アンド回路１１へ出力するので送受信モジュール１ａ、１ｃ、１ｅの送信増幅器１６と受信増幅器１７はオンになる。
【００５２】
しかし、送受信モジュール１ｂ、１ｄ、１ｆの増幅器用ビット選択回路８は、増幅器用マルチビットレジスタ６に保持された複数ビットの増幅器制御信号の各ビット（ビット０〜ビット３）から増幅器用ビット指示レジスタ７に保持されたビット指示信号（１０）に対応する（ビット２）の１ビットの増幅器制御信号（０＝ローレベル）を選択し送信信号アンド回路１０と受信信号アンド回路１１へ出力するので送受信モジュール１ｂ、１ｄ、１ｆの送信増幅器１６と受信増幅器１７はオフになる。
やはり、同一の制御データをすべての送受信モジュール１ａ〜１ｆに同時に１回送れば、フェーズドアレーアンテナ装置の放射パターン生成ウェイトを変えることができる。
【００５３】
よって、フェーズドアレーアンテナ装置の所望の各放射パターン生成ウェイトとビット指示信号を対応させ、それぞれに対応する各送受信モジュール１ａ〜１ｆの送信増幅器１６と受信増幅器１７をオン・オフする複数ビットの増幅器制御信号を初期設定において、各送受信モジュール１ａ〜１ｆの増幅器用マルチビットレジスタ６に設定すれば、その後は、同一の制御データをすべての送受信モジュール１ａ〜１ｆに同時に１回送れば、フェーズドアレーアンテナ装置の放射パターン生成ウェイトを変えることができる。
【００５４】
実施の形態２．
図４はこの発明の実施の形態２における送受信モジュールの構成図であり、２３は送信増幅器用マルチビットレジスタ、２４は送信増幅器用ビット指示レジスタ、２５は送信増幅器用ビット選択回路、２６は受信増幅器用マルチビットレジスタ、２７は受信増幅器用ビット指示レジスタ、２８は受信増幅器用ビット選択回路であり、１〜１７は図１の説明と同じものである。
【００５５】
実施の形態１の増幅器制御信号を送信電磁波または送信系に対応する送信増幅器制御信号と、受信電磁波または受信系に対応する受信増幅器制御信号とに分離、独立させたものである。
【００５６】
送信系においては、複数ビットの送信増幅器制御信号が送信増幅器用マルチビットレジスタ２３に保持され、送信増幅器用マルチビットレジスタ２３に保持された複数ビットの送信増幅器制御信号の中から１ビットの送信増幅器制御信号を指示する送信ビット指示信号が送信増幅器用ビット指示レジスタ２４に保持される。
【００５７】
そして、送信増幅器用ビット選択回路２５は、送信増幅器用ビット指示レジスタ２４に保持された送信ビット指示信号にしたがって送信増幅器用マルチビットレジスタ２３に保持された複数ビットの送信増幅器制御信号の中から１ビットの送信増幅器制御信号を選択する。
【００５８】
同様に、受信系においては、複数ビットの受信増幅器制御信号が受信増幅器用マルチビットレジスタ２６に保持され、受信増幅器用マルチビットレジスタ２６に保持された複数ビットの受信増幅器制御信号の中から１ビットの受信増幅器制御信号を指示する受信ビット指示信号が受信増幅器用ビット指示レジスタ２７に保持される。
【００５９】
そして、受信増幅器用ビット選択回路２８は、受信増幅器用ビット指示レジスタ２７に保持された受信ビット指示信号にしたがって受信増幅器用マルチビットレジスタ２６に保持された複数ビットの受信増幅器制御信号の中から１ビットの受信増幅器制御信号を選択する。
【００６０】
この場合、フェーズドアレーアンテナ装置の放射パターン生成ウェイトを送信と受信で変えたい場合や、送信または受信の一方のみの故障等で送信または受信のみをオフしたい場合でも、送信増幅器用マルチビットレジスタ２３に保持する複数ビットの送信増幅器制御信号と受信増幅器用マルチビットレジスタ２６に保持する複数ビットの受信増幅器制御信号をそれぞれ独立して設定できるので、送信系と受信系を独立して制御できるという効果が得られる。
【００６１】
ところで、上記説明では、送受信モジュール１ａ〜１ｆが３行、２列に並んだ６個の場合について説明したが、任意の行、任意の列に並んだ、任意の数の場合にも利用できる。また、上記説明では、送受信モジュール１ａ〜１ｆが行列の交差部に整然と並んだ場合について説明したが、行列の交差部の一部に送受信モジュール１ａ〜１ｆが無い場合や、
その並びが任意の形状の場合にも利用できる。
【００６２】
また、上記説明では、説明の都合上、各信号のレベルをハイレベルまたはローレベルとして説明したが、ハイレベルのものがローレベルとなりローレベルのものがハイレベルとなる回路構成の場合にも利用できる。
また、上記説明では、移相器制御信号を送信系と受信系で共通に用いる場合について説明したが、送信系の移相器制御信号と受信系の移相器制御信号が異なり、送信系の移相器制御信号と受信系の移相器制御信号を送受切換信号で切り換える場合にも利用できる。
また、上記説明では、送受切換信号に送信信号と受信信号がふくまれる１個の送受信号として説明したが、送信信号と受信信号が独立した信号の場合にも利用できる。
【００６３】
また、上記説明では、制御データをＸデータとＹデータの２種類のデータから構成されていると説明したが、１種類のデータまたは任意の複数種類のデータから構成される場合でも利用できる。
また、上記説明の送受切換スイッチ１５がサーキュレータの場合にも利用できる。
【００６４】
また、上記説明では、フェーズドアレーアンテナ装置が送信も受信も行う場合について説明したが、送信のみのフェーズドアレーアンテナ装置の場合にも受信のみのフェーズドアレーアンテナ装置の場合にも利用できる。
【図面の簡単な説明】
【００６５】
【図１】この発明の実施の形態１における送受信モジュールの構成図である。
【図２】この発明の実施の形態１における送受信モジュールを用いたフェーズドアレーアンテナ装置の構成図である。
【図３】増幅器制御信号と増幅器用ビット指示レジスタに保持されたビット指示信号との対応の一例を示す説明図である。
【図４】この発明の実施の形態２における送受信モジュールの構成図である。
【符号の説明】
【００６６】
１  送受信モジュール、  ２  Ｘデータ入出力回路、  ３  Ｙデータ入出力回路、  ４  クロック入力回路、  ５  データ処理回路、  ６  増幅器用マルチビットレジスタ、  ７  増幅器用ビット指示レジスタ、  ８  増幅器用ビット選択回路、  ９  送受切換信号入力回路、  １０  送信信号アンド回路、  １１  受信信号アンド回路、  １２  反転回路、１３  移相器制御レジスタ、  １４  移相器、  １５  送受切換スイッチ、１６  送信増幅器、  １７  受信増幅器、  １８  アンテナ開口、  １９  Ｘデータライン、  ２０  Ｙデータライン、  ２１  クロックライン、  ２２  送受切換信号ライン、  ２３  送信増幅器用マルチビットレジスタ、  ２４  送信増幅器用ビット指示レジスタ、  ２５  送信増幅器用ビット選択回路、  ２６  受信増幅器用マルチビットレジスタ、  ２７  受信増幅器用ビット指示レジスタ、  ２８  受信増幅器用ビット選択回路。
【図１】
2006135413.tif 000003
【図２】
2006135413.tif 000004
【図３】
2006135413.tif 000005
【図４】
2006135413.tif 000006